(57)【要約】【課題】  高倍速記録化に対応するライトストラテジ制御回路及びタイミング制御回路を統合したレーザドライバＩＣに対して専用線を用いることなくクロック信号を供給し、信号線の削減を図り、クロック信号による干渉や輻射の問題を除去する。【解決手段】  光ディスクドライブ本体から光ピックアップ１２０に送る書き込み用データにクロックを含ませて出力する。光ピックアップ１２０のレーザドライバＩＣ２００においては、書き込み用のデータ信号から動作クロックを抽出し、この抽出した動作クロックによって内部回路の同期をとる。この動作クロックは書き込み用データ信号の前に挿入されたダミーデータ信号を用いて供給するようにし、このダミーデータ信号のエッジ検出によって動作クロックを抽出する。ダミーデータ信号としては、書き込み信号には含まれない繰り返し周期を有する信号を用いる。【選択図】        図２
2005085385.tif 000002
【特許請求の範囲】
【請求項１】
光記録媒体にデータ信号を書き込むためのレーザビームのレーザ光源と、
外部から供給される書き込み用のデータ信号に対応して前記レーザ光源のレーザパワー制御及びタイミング制御を行ない、前記光記録媒体にデータ信号を書き込む動作を実行するレーザ駆動回路とを有し、
前記レーザ駆動回路は、前記外部から供給される書き込み用のデータ信号から動作クロックを抽出する動作クロック抽出手段と、
前記動作クロック抽出手段によって抽出した動作クロックによって内部回路の同期をとる制御手段とを有している、
ことを特徴とする光ピックアップ。
【請求項２】
前記制御手段は、前記動作クロック抽出手段によって抽出した動作クロックの位相を安定化するＰＬＬ回路を有することを特徴とする請求項１記載の光ピックアップ。
【請求項３】
前記データ信号は実際に光記録媒体に書き込むための書き込み用データ信号と動作クロック用のダミーデータ信号とを含み、前記動作クロック抽出手段はデータ信号内のダミーデータ信号からも抽出することを特徴とする請求項１記載の光ピックアップ。
【請求項４】
前記ダミーデータ信号は、前記書き込み用データ信号の前に挿入されることを特徴とする請求項３記載の光ピックアップ。
【請求項５】
前記ダミーデータ信号が最短繰り返し信号よりなることを特徴とする請求項３記載の光ピックアップ。
【請求項６】
前記ダミーデータ信号が所定長の繰り返し信号よりなることを特徴とする請求項３記載の光ピックアップ。
【請求項７】
前記ダミーデータ信号が擬似ランダム信号よりなることを特徴とする請求項３記載の光ピックアップ。
【請求項８】
前記ダミーデータ信号がクロック信号よりなることを特徴とする請求項３記載の光ピックアップ。
【請求項９】
前記ダミーデータ信号が書き込みデータ信号には含まれない繰り返し周期を有する信号よりなることを特徴とする請求項３記載の光ピックアップ。
【請求項１０】
前記書き込み用データ信号及びダミーデータ信号には含まれない繰り返し周期を有するエラー  信号を入力したことを検出するデータ監視手段を有し、前記制御手段は、前記データ監視手段によってエラー信号の入力が検出された場合に、前記書き込みデータ信号の書き込み動作を中断し、ダミーデータ信号を用いた動作クロックの再同期動作を実行することを特徴とする請求項３記載の光ピックアップ。
【請求項１１】
光ディスクを保持して駆動する光ディスク駆動部と、
前記光ディスクに書き込むデータ信号を供給するデータ信号供給部と、
前記光ディスク駆動部によって駆動される光ディスクに前記データ信号供給部から供給されるデータ信号を書き込む光ピックアップとを有し、
前記光ピックアップは、光ディスクにデータ信号を書き込むためのレーザビームのレーザ光源と、
外部から供給される書き込み用のデータ信号に対応して前記レーザ光源のレーザパワー制御及びタイミング制御を行ない、前記光ディスクにデータ信号を書き込む動作を実行するレーザ駆動回路とを有し、
前記レーザ駆動回路は、前記外部から供給される書き込み用のデータ信号から動作クロックを抽出する動作クロック抽出手段と、
前記動作クロック抽出手段によって抽出した動作クロックによって内部回路の同期をとる制御手段とを有している、
ことを特徴とする光ディスク装置。
【請求項１２】
前記光ピックアップの制御手段は、前記動作クロック抽出手段によって抽出した動作クロックの位相を安定化するＰＬＬ回路を有することを特徴とする請求項１１記載の光ディスク装置。
【請求項１３】
前記データ信号は実際に光ディスクに書き込むための書き込み用データ信号と動作クロック用のダミーデータ信号とを含み、前記動作クロック抽出手段はデータ信号内のダミーデータ信号からも抽出することを特徴とする請求項１１記載の光ディスク装置。
【請求項１４】
前記ダミーデータ信号は、前記書き込み用データ信号の前に挿入されることを特徴とする請求項１３記載の光ディスク装置。
【請求項１５】
前記ダミーデータ信号が最短繰り返し信号よりなることを特徴とする請求項１３記載の光ディスク装置。
【請求項１６】
前記ダミーデータ信号が所定長の繰り返し信号よりなることを特徴とする請求項１３記載の光ディスク装置。
【請求項１７】
前記ダミーデータ信号が擬似ランダム信号よりなることを特徴とする請求項１３記載の光ディスク装置。
【請求項１８】
前記ダミーデータ信号がクロック信号よりなることを特徴とする請求項１３記載の光ディスク装置。
【請求項１９】
前記ダミーデータ信号が書き込みデータ信号には含まれない繰り返し周期を有する信号よりなることを特徴とする請求項１３記載の光ディスク装置。
【請求項２０】
前記ダミーデータ信号を生成するダミーデータ生成手段と、前記データ信号供給部から供給される書き込み用データ信号と前記ダミーデータ生成手段によって生成されたダミーデータ信号とを切り替えて前記光ピックアップに供給するデータ切替手段とを有することを特徴とする請求項１３記載の光ディスク装置。
【請求項２１】
前記書き込み用データ信号及びダミーデータ信号には含まれない繰り返し周期を有するエラー信号を入力したことを検出するデータ監視手段を有し、前記データ切替手段は、データ監視手段によってエラー信号の入力が検出された場合に、前記光ピックアップに送出中の書き込みデータ信号をダミーデータ信号に切り替え、前記光ピックアップの制御手段は、前記書き込みデータ信号の書き込み動作を中断し、ダミーデータ信号を用いた動作クロックの再同期動作を実行することを特徴とする請求項２０記載の光ディスク装置。
【発明の詳細な説明】
【技術分野】
【０００１】
本発明は、各種光記録媒体に信号の記録を行なうレーザ光源やその制御系を備えた光ピックアップ及び光ディスク装置に関する。
【背景技術】
【０００２】
近年、ＣＤ−ＲやＣＤ−ＲＷ、あるいはＤＶＤ−ＲやＤＶＤ−ＲＷ等といった信号記録可能な各種の光ディスクが提供されており、このような記録可能型光ディスクに信号記録を行なう光ディスク装置として、ライドストラテジ（記録用レーザパワー制御）機能やタイミング制御機能を有するレーザドライバＩＣを搭載した光ピックアップを具備するものが開発されている（例えば、特許文献１参照）。
すなわち、最近の光ディスク装置においては、急速に高倍速記録化が進んでおり、このような高倍速記録化に対応するための構成として、レーザドライバのライドストラテジ制御やタイミング制御に厳格な精度が要求されることから、これらの制御を外部からではなく、ドライバＩＣ内部で行なうような構成が必要となっている。
【特許文献１】特開２００１−４３５３１号公報
【発明の開示】
【発明が解決しようとする課題】
【０００３】
しかしながら、上述のような高機能化されたレーザドライバＩＣを搭載した光ピックアップでは、このレーザドライバＩＣの入力として、実際の書き込み用のデータ信号となる変調信号（ＥＦＭやＥＦＭ＋等）と同時に、動作用のクロック信号を入力する必要があることから、このクロック信号入力のために、信号線の増大を招き、さらに、他の信号に対する干渉や不要輻射の影響等の問題が生じている。
本発明は、このような実情に鑑みてなされたものであり、その目的は、レーザドライバＩＣに対して専用線を用いることなくクロック信号を供給でき、信号線の削減を図り得るとともに、クロック信号による干渉や輻射の問題を除去できる光ピックアップ及び光ディスク装置を提供することにある。
【課題を解決するための手段】
【０００４】
上述の目的を達成するため、本発明にかかる光ピックアップは、光記録媒体にデータ信号を書き込むためのレーザビームのレーザ光源と、外部から供給される書き込み用のデータ信号に対応して前記レーザ光源のレーザパワー制御及びタイミング制御を行ない、前記光記録媒体にデータ信号を書き込む動作を実行するレーザ駆動回路とを有し、前記レーザ駆動回路は、前記外部から供給される書き込み用のデータ信号から動作クロックを抽出する動作クロック抽出手段と、前記動作クロック抽出手段によって抽出した動作クロックによって内部回路の同期をとる制御手段とを有していることを特徴とする。
【０００５】
また本発明にかかる光ディスク装置は、光ディスクを保持して駆動する光ディスク駆動部と、前記光ディスクに書き込むデータ信号を供給するデータ信号供給部と、前記光ディスク駆動部によって駆動される光ディスクに前記データ信号供給部から供給されるデータ信号を書き込む光ピックアップとを有し、前記光ピックアップは、光ディスクにデータ信号を書き込むためのレーザビームのレーザ光源と、外部から供給される書き込み用のデータ信号に対応して前記レーザ光源のレーザパワー制御及びタイミング制御を行ない、前記光ディスクにデータ信号を書き込む動作を実行するレーザ駆動回路とを有し、前記レーザ駆動回路は、前記外部から供給される書き込み用のデータ信号から動作クロックを抽出する動作クロック抽出手段と、前記動作クロック抽出手段によって抽出した動作クロックによって内部回路の同期をとる制御手段とを有していることを特徴とする。
【発明の効果】
【０００６】
本発明にかかる光ピックアップ及び光ディスク装置によれば、レーザ光源のレーザパワー制御及び発光タイミング制御を行なうレーザ駆動回路で、外部から供給される書き込み用のデータ信号から動作クロックを抽出し、この抽出した動作クロックによって内部回路の同期をとるようにしたことから、レーザ駆動回路に対して専用線を用いることなくクロック信号を供給できる。
したがって、レーザ駆動回路への信号線数（具体的にはレーザドライバＩＣに割り当てられるフレキシブル基板等の信号線数）の削減を図り得るとともに、クロック信号による干渉や輻射の問題を除去することが可能となる。
【発明を実施するための最良の形態】
【０００７】
本例の光ディスク装置は、高倍速記録化に対応するライトストラテジ制御回路及びタイミング制御回路を統合したレーザドライバＩＣを搭載した光ピックアップを有し、このレーザドライバＩＣにおいて、書き込み用のデータ信号から動作クロックを抽出し、この抽出した動作クロックによって内部回路の同期をとるようにすることで、動作クロックを専用線を用いることなく供給できるようにする。
なお、動作クロックは書き込み用データ信号の前に挿入されたダミーデータ信号を用いて供給するようにし、このダミーデータ信号のエッジ検出によって動作クロックを抽出するものとし、このダミーデータ信号としては、例えば、最短繰り返し信号、所定長の繰り返し信号、擬似ランダム信号、クロック信号等を用いることが可能であり、書き込み信号には含まれない繰り返し周期を有する信号を用いる。
また、このようなダミーデータ信号のエッジ検出等によって抽出した動作クロックの位相を安定化させるために、ＰＬＬ回路を有することが好ましい。
さらに、本来のデータ信号（書き込み用データ信号及びダミーデータ信号）には含まれない繰り返し周期を有する信号（ここではエラー信号という）を入力した時に、これを検出するデータ監視回路を設け、エラー信号検出時には、光ピックアップにおいて書き込みデータ信号の書き込み動作を中断し、ダミーデータ信号を用いた動作クロックの再同期動作を実行することにより、誤った書き込みを防止し、確実なクロック同期を実現することが可能となる。
【実施例１】
【０００８】
図１は本発明の実施例１における光ディスク装置の概略構成を示すブロック図であり、図２は図１に示す光ディスク装置のレーザ制御系の構成を示すブロック図である。また、図３は図２に示すレーザ制御系の制御動作を示すタイミングチャートである。
図１に示すように、この実施例１の光ディスク装置（光ディスクドライブ）は、光ディスク１００を保持して回転駆動するスピンドルモータ１１０と、光ディスク１００に対して信号の書き込み、読み取りを行なう光ピックアップ１２０と、スピンドルモータ１１０や光ピックアップ１２０に対する各種サーボ制御を行なうサーボ制御部１３０と、データ入力部１４１から供給されるデータ信号を光ピックアップ１２０に供給し、データの記録動作を実行する記録制御部１４０と、光ピックアップ１２０によって光ディスク１００から再生されたデータをデータ出力部１５１に出力する再生制御部１５０と、外部制御信号入力に基づいてシステム全体を制御するシステム制御部１６０等を有して構成されている。
【０００９】
次に、図２及び図３に基づいて本発明の特徴となる構成及び動作について説明する。
まず、図２は、上述した光ピックアップ１２０、記録制御部１４０及びシステム制御部１６０の本発明の特徴に関する主要な構成を示しており、破線ａを挟んで右側に光ピックアップ（ＯＰ）１２０の構成を示し、左側に記録制御部１４０及びシステム制御部１６０側（以下、ディスクドライブ本体という）の構成を示している。なお、本発明の説明と直接関係のない部分は図示していない。
そして、図示のように、本例の光ピックアップ１２０には、ライドストラテジ機能やタイミング制御機能を有するレーザドライバＩＣ２００と、半導体レーザ光源としてのレーザダイオード２１０と、そのレーザパワーを検出するためのフロントフォトディテクタ（ＦＰＤ）２２０と、ディスクからの戻り光を検出するフォトディテクタ（ＰＤ）を含むＰＤＩＣ２３０とを有する。
レーザドライバＩＣ２００は、レーザダイオード２１０に対して駆動電流を供給するレーザダイオードドライバ回路２０１と、データ信号の書き込みに適したレーザパワーの制御を行なうライトストラテジ回路２０２と、ＦＰＤ２２０から入力される検出信号に基づいてレーザパワーを目標値に制御する自動パワーコントロール回路（ＡＰＣ）２０３と、ディスクドライブ本体から入力されるデータ信号（本来のデータ信号と付加されているダミーデータ信号の両方）のデータエッジを検出し、同期クロックを検出するデータエッジ検出回路２０４と、このデータエッジ検出回路２０４で検出された同期クロックの位相を安定化させるフェーズロックドループ（ＰＬＬ）回路２０５とを有する。
【００１０】
一方、光ディスクドライブ本体側には、外部入力による書き込み用のデータに対してＥＦＭ＋変調等を行なうエンコード回路３１０と、このエンコード回路３１０からの書き込み用データ信号と同期用のダミーデータ信号との切り替えを行なうデータ切替回路３２０と、同期用のダミーデータ信号を生成するダミー信号発生回路３３０と、システム全体の動作に必要な各種タイミング信号を生成するタイミング生成回路３４０と、光ピックアップ１２０から得られる再生ＲＦ信号を処理するＲＦ信号処理回路（ＲＦＩＣ）３５０と、再生ＲＦ信号から得られるアドレス信号をデコードするアドレスデコード回路３６０と、再生ＲＦ信号から得られるデータ信号をデコードするデータデコード回路３７０と、システム全体を制御するコントローラ３８０とを有する。
なお、光ディスクドライブ本体と光ピックアップとの間（例えば、データ切替回路３２０とレーザドライバＩＣ２００との間やＲＦＩＣ３５０とＰＤＩＣ２３０との間）は、フレキシブル基板によって電気的に接続されている。
【００１１】
このような光ディスク装置では、ＲＦＩＣ３５０において光ディスクの再生信号からサーボ信号、ＲＦ信号、ウォブル信号等を抽出する演算が行なわれる。そして、ＲＦ信号はデータデコード回路３７０へ送られ、例えばＥＦＭ＋の復調、ＥＣＣの計算等が行なわれ、光ディスクに記録されたデータ（ユーザデータ）が復元され、コントローラ３８０を通して外部に再生データとして出力される。また、ウォブル信号にはアドレス信号やクロック信号が含まれており、アドレス信号はアドレスデコード回路３６０に送られて、アドレス情報の復元が行なわれ、クロック信号はタイミング生成回路３４０に送られて、基準となるタイミング信号として利用される。
また、外部から入力された書き込み用データ（ユーザデータ）は、エンコード回路３１０で例えばＥＦＭ＋に変調され、光ピックアップ１２０のレーザドライバＩＣ２００に送られて、光ディスクに記録される。
そして、この書き込み用データの先頭にダミー信号発生回路３３０で生成したダミーデータ信号をデータ切替回路３２０によって付加し、レーザドライバＩＣ２００内でダミーデータ信号から動作クロックを再生できるようにする。
なお、ダミー信号発生回路３３０で生成するダミーデータ信号としては、基本的にはＲＦＩＣ３５０でウォブル信号を用いて再生したクロックを基準として生成することが可能であり、例えば、最短繰り返し信号、所定長の繰り返し信号、擬似ランダム信号、あるいはＲＦＩＣ３５０で得られたクロック信号自体を用いることが可能であり、書き込みデータ信号には含まれない繰り返し周期を有する信号を用いる。
【００１２】
光ピックアップ１２０のレーザドライバＩＣ２００では、このようなデータ信号と、ダミーデータ信号のエッジ検出によってクロックを生成し、レーザドライバＩＣ２００の内部回路の同期をとり、その後、書き込みデータ信号を入力してレーザダイオード２１０を制御し、光ディスクへのデータ記録を行なう。
なお、従来の光ピックアップにおいても、レーザドライバＩＣ内にＰＬＬ回路を設けて光ディスクドライバ本体から入力したクロックの位相ロックを行なうものは知られているが、本実施例のＰＬＬ回路は書き込み用データ信号から抽出したクロックを位相ロックする点で基本的に目的の異なるものである。
【００１３】
次に、図３のタイミングチャートを用いて本実施例の動作について説明する。
まず、データの記録動作は、図３（ａ）に示すライト制御信号のオン期間で実行され、図３（ｂ）に示すデータ送出制御信号のオン期間で、図３（ｃ）に示す書き込み用データ信号（ユーザデータ）の供給が行なわれる。そこで、光ディスクドライブ本体では、図３（ｄ）に示すように、この書き込み用データ信号をエンコード回路３１０で変調し、例えばＥＦＭ＋等の変調した書き込み用データ信号に変換し、光ピックアップ１２０に出力する。
そして、この書き込み用データ信号の送出に先立ち、コントローラ３８０が図３（ｅ）に示すダミーデータ制御信号をオンし、図３（ｆ）に示すダミーデータ信号を書き込み用データ信号の先頭部分に付加する。
この結果、レーザドライバＩＣ２００への送出データは、図３（ｇ）に示すように、ダミーデータ信号と書き込み用データ信号が連続した信号となり、レーザドライバＩＣ２００では、ダミーデータ信号を用いて同期をとった後、図３（ｈ）に示すように、レーザドライバＩＣ２００側でライト動作切替信号がオンし、書き込み用データ信号が光ディスクに記録される。
【実施例２】
【００１４】
図４は本発明の実施例２における光ディスク装置のレーザ制御系の構成を示すブロック図であり、図５は図４に示すレーザ制御系の制御動作を示すタイミングチャートである。なお、光ディスク装置の全体構成は図１に示すものと共通であるものとし、また、図４において実施例１の図２と共通の要素については同一符号を付して個々の説明は省略する。
本実施例の光ディスク装置は、本来のデータ信号（書き込み用データ信号及びダミーデータ信号）に含まれない繰り返し周期を有する信号を入力した場合に、これをエラー信号と判定して同期を取り直すような機能を設けたものである。
すなわち、本例の光ディスク装置では、図４に示すように、入力信号の周波数判定を行なうエラー信号監視回路３９０を有し、書き込み用データ信号及びダミーデータ信号に含まれない周波数の信号が入力された場合には、エラー検出信号をコントローラ３８０及びタイミング生成回路３４０に送る。
コントローラ３８０は、エラー信号監視回路３９０からのエラー検出信号を受信すると、その時点で書き込み動作を中断し、データ切替回路３２０を制御してダミーデータ信号の再送を行ない、レーザドライバＩＣ２００側で同期をとり直すような動作を行なう。そして、レーザドライバＩＣ２００側で同期をとり直した後、再度、書き込み用データを送ることにより、適正なデータの記録動作を確保できるよう制御する。
【００１５】
次に、図５のタイミングチャートを用いて本実施例の動作について説明する。
まず、データの記録動作は、図５（ａ）に示すライト制御信号のオン期間で実行され、図５（ｂ）に示すデータ送出制御信号のオン期間で、図５（ｃ）に示す書き込み用データ信号（ユーザデータ）の供給が行なわれる。そこで、光ディスクドライブ本体では、図５（ｄ）に示すように、この書き込み用データ信号をエンコード回路３１０で変調し、例えばＥＦＭ＋等の変調した書き込み用データ信号に変換し、光ピックアップ１２０に出力する。
そして、この書き込み用データ信号の送出に先立ち、コントローラ３８０が図５（ｆ）に示すダミーデータ制御信号をオンし、図５（ｇ）に示すダミーデータ信号を書き込み用データ信号の先頭部分に付加する。
この結果、レーザドライバＩＣ２００への送出データは、図５（ｈ）に示すように、ダミーデータ信号と書き込み用データ信号が連続した信号となり、レーザドライバＩＣ２００では、ダミーデータ信号を用いて同期をとった後、図５（ｉ）に示すように、レーザドライバＩＣ２００側でライト動作切替信号がオンし、書き込み用データ信号が光ディスクに記録される。
【００１６】
以上は、図３の動作と共通であるが、図５（ｅ）に示すように、本来のデータ信号に含まれない周波数のエラー信号が入力されると、これをエラー信号監視回路３９０によって検出したコントローラ３８０は、図５（ｆ）に示すダミーデータ制御信号を再度オンし、書き込み用データ信号の出力を中断し、図５（ｇ）に示すダミーデータ信号を書き込み用データ信号の中途部分に付加する。
この結果、レーザドライバＩＣ２００への送出データは、図５（ｈ）に示すように、再度ダミーデータ信号となり、レーザドライバＩＣ２００では、このダミーデータ信号を用いて同期を取り直し、その後、図５（ｉ）に示すように、レーザドライバＩＣ２００側でライト動作切替信号がオンし、再度入力された書き込み用データ信号が光ディスクに記録される。
このような動作で、不特定の周波数信号入力をエラーとして排除でき、ノイズ等に対応することが可能である。
【００１７】
なお、以上のような同期の取り直し動作によって、外部入力した書き込み用データが消失する場合も考えられることから、例えばコントローラ３８０側で書き込み用データを保存するようなバッファ機能を設け、エラー信号の発生によって同期の取り直し動作を実行した場合に、バッファ機能で保存した書き込み用データ信号をエンコード回路３１０のループから再度転送し、レーザドライバＩＣ２００に送って再度アドレスを戻して書き込むような構成とすれば、エラーの発生にかかわらず、ユーザデータの消失を招くことなく、光ディスクへの書き込みを行なうことが可能となる。
【図面の簡単な説明】
【００１８】
【図１】本発明の実施例１に係る光ディスク装置の全体構成を示すブロック図である。
【図２】図１に示す光ディスク装置のレーザ制御系の構成を示すブロック図である。
【図３】図２に示すレーザ制御系の動作を示すタイミングチャートである。
【図４】本発明の実施例２に係る光ディスク装置のレーザ制御系の構成を示すブロック図である。
【図５】図４に示すレーザ制御系の動作を示すタイミングチャートである。
【符号の説明】
【００１９】
１００……光ディスク、１１０……スピンドルモータ、１２０……光ピックアップ、１３０……サーボ制御部、１４０……記録制御部、１５０……再生制御部、１６０……システム制御部、２００……レーザドライバＩＣ、２０１……レーザダイオードドライバ回路、２０２……ライトストラテジ回路、２０３……自動パワーコントロール回路、２０４……データエッジ検出回路、２０５……ＰＬＬ回路、２１０……レーザダイオード、２２０……フロントフォトディテクタ、２３０……フォトディテクタＩＣ、３１０……エンコード回路、３２０……データ切替回路、３３０……ダミー信号発生回路、３４０……タイミング生成回路、３５０……ＲＦ信号処理回路、３６０……アドレスデコード回路、３７０……データデコード回路、３８０……コントローラ、３９０……エラー信号監視回路。
【図１】
2005085385.tif 000003
【図２】
2005085385.tif 000004
【図３】
2005085385.tif 000005
【図４】
2005085385.tif 000006
【図５】
2005085385.tif 000007